(57)【要約】【課題】被測定者の測定部位の太さに応じて測定方式を切替えることのできる電子血圧計および血圧測定制御方法を提供すること。【解決手段】初期設定の測定方式が減圧測定方式である電子血圧計は、加圧初期の圧力情報に基づく指標として、所定の圧力区間における加圧時間を検出することにより、測定部位の太さを判断する（Ｓ１０４，Ｓ１０６）。測定部位の太さが標準以下と判断された場合に（Ｓ１０６にてＹＥＳ）、血圧の測定方式は減圧測定方式に維持されるが、測定部位の太さが標準よりも太いと判断された場合には（Ｓ１０６にてＮＯ）、血圧の測定方式を減圧測定方式から加圧測定方式に切替えて血圧の測定処理を継続する（Ｓ１１０）。【選択図】図４
2010068922.tif 000002
【特許請求の範囲】
【請求項１】
オシロメトリック法に従い血圧を測定するための電子血圧計であって、
所定の測定部位に巻き付けるためのカフと、
前記カフ内の圧力を加圧および減圧により調整するための調整手段と、
前記カフ内の圧力を表わすカフ圧を検出するための圧力検出手段と、
血圧を測定する制御を行なうための制御手段とを備え、
前記制御手段は、
加圧初期の圧力情報に基づく指標を検出することにより、前記測定部位の太さを判断するための判断手段と、
初期設定の測定方式が減圧測定方式である場合であって、前記測定部位の太さが標準よりも太いと判断された場合に、血圧の測定方式を減圧測定方式から加圧測定方式に切替えて血圧の測定処理を継続するための第１の切替手段とを含む、電子血圧計。
【請求項２】
前記指標は、所定の圧力区間における加圧時間であり、
前記判断手段は、前記加圧時間が所定値以上であれば、前記測定部位の太さは標準よりも太いと判断する、請求項１に記載の電子血圧計。
【請求項３】
前記指標は、所定の期間における加圧速度であり、
前記判断手段は、前記加圧速度が所定値以下であれば、前記測定部位の太さは標準よりも太いと判断する、請求項１に記載の電子血圧計。
【請求項４】
前記指標は、所定の圧力区間における流量の変化量であり、
前記判断手段は、前記流量の変化量が所定値以上であれば、前記測定部位の太さは標準よりも太いとを判断する、請求項１に記載の電子血圧計。
【請求項５】
前記制御手段は、初期設定の測定方式が加圧測定方式である場合であって、判断された前記測定部位の太さが標準よりも細いと判断された場合には、血圧の測定方式を加圧測定方式から減圧測定方式に切替えて血圧の測定処理を継続するための第２の切替手段をさらに含む、電子血圧計。
【請求項６】
前記指標は、所定の圧力区間における加圧時間であり、
前記判断手段は、前記加圧時間が所定値以下であれば、前記測定部位の太さは標準よりも細いと判断する、請求項５に記載の電子血圧計。
【請求項７】
前記指標は、所定の期間における加圧速度であり、
前記判断手段は、前記加圧速度が所定値以上であれば、前記測定部位の太さは標準よりも細いと判断する、請求項５に記載の電子血圧計。
【請求項８】
前記指標は、所定の圧力区間における流量の変化量であり、
前記判断手段は、前記流量の変化量が所定値以下であれば、前記測定部位の太さは標準よりも細いと判断する、請求項５に記載の電子血圧計。
【請求項９】
オシロメトリック法に従い血圧の測定を制御する方法であって、
加圧初期の圧力情報に基づく指標を検出することにより、測定部位の太さを判断するステップと、
初期設定の測定方式が減圧測定方式である場合であって、前記測定部位の太さが標準よりも太いと判断された場合に、血圧の測定方式を減圧測定方式から加圧測定方式に切替えて血圧の測定処理を継続するステップと、
測定された血圧値を出力するステップとを備える、血圧測定制御方法。
【請求項１０】
オシロメトリック法に従い血圧の測定を制御する方法であって、
加圧初期の圧力情報に基づく指標を検出することにより、測定部位の太さを判断するステップと、
初期設定の測定方式が加圧測定方式である場合であって、前記測定部位の太さが標準よりも細いと判断された場合に、血圧の測定方式を加圧測定方式から減圧測定方式に切替えて血圧の測定処理を継続するステップと、
測定された血圧値を出力するステップとを備える、血圧測定制御方法。
【発明の詳細な説明】
【技術分野】
【０００１】
本発明は、電子血圧計および血圧測定制御方法に関し、特に、オシロメトリック法に従い血圧を測定する電子血圧計および血圧測定制御方法に関する。
【背景技術】
【０００２】
近年、血圧の測定は、医療機関での測定だけでなく、自宅での日常の管理が重要であることが認められている。また、時間帯による血圧変動を把握することで、早朝高血圧など、早朝に発生確率の高い心血管系の合併症などの診断にも用いられている。
【０００３】
オシロメトリック法に従い血圧を測定する血圧計としては、加圧中に血圧を測定するタイプ（以下「加圧測定方式」という）のものと、減圧中に血圧測定するタイプ（以下「減圧測定方式」という）のものと両方が存在する。一般的に、どちらの方式で測定したとしても、同じ測定値が得られるといわれており、血圧計にはいずれか１つの測定方式だけが搭載されている。
【０００４】
これに対し、特許文献１では、２つの測定方式を切替えて測定可能であることが記載されている。具体的には、うっ血による血圧の誤測定を防止するために、腕帯による動脈止血での血圧測定時に、腕帯より末梢側で静脈相対圧を測定し、動脈圧値と静脈相対圧の差が所定値以下であれば、再測定を促す。そして、再測定の際には、測定方式を減圧測定方式から加圧測定方式に切替えることが記載されている。
【特許文献１】特開２００１−３０９５９５号公報
【発明の開示】
【発明が解決しようとする課題】
【０００５】
上述のように、加圧測定方式と減圧測定方式とのどちらで測定したとしても大抵同様の測定結果が得られることから、従来の血圧計では、どちらかの測定方式しか搭載されていない。特許文献１の発明のように、両方の測定方式が搭載されていたとしても、減圧測定方式で測定して測定値に信頼性がない場合にのみ加圧方式に切り替えることしか提案されていない。
【０００６】
したがって、従来の技術では、はじめは必ず所定の測定方式で血圧を測定しなければないため、各測定方式が抱える、測定部位の太さの影響による問題点を解消することができない。
【０００７】
本発明は、上記のような問題を解決するためになされたものであって、その目的は、被測定者の測定部位の太さに応じて測定方式を切替えることのできる電子血圧計および血圧測定制御方法を提供することである。
【課題を解決するための手段】
【０００８】
この発明のある局面に従う電子血圧計は、オシロメトリック法に従い血圧を測定するための電子血圧計であって、所定の測定部位に巻き付けるためのカフと、カフ内の圧力を加圧および減圧により調整するための調整手段と、カフ内の圧力を表わすカフ圧を検出するための圧力検出手段と、血圧を測定する制御を行なうための制御手段とを備え、制御手段は、加圧初期の圧力情報に基づく指標を検出することにより、測定部位の太さを判断するための判断手段と、初期設定の測定方式が減圧測定方式である場合であって、測定部位の太さが標準よりも太いと判断された場合に、血圧の測定方式を減圧測定方式から加圧測定方式に切替えて血圧の測定処理を継続するための第１の切替手段とを含む。
【０００９】
好ましくは、指標は、所定の圧力区間における加圧時間であり、判断手段は、加圧時間が所定値以上であれば、測定部位の太さは標準よりも太いと判断する。
【００１０】
あるいは、指標は、所定の期間における加圧速度であり、判断手段は、加圧速度が所定値以下であれば、測定部位の太さは標準よりも太いと判断する。
【００１１】
あるいは、指標は、所定の圧力区間における流量の変化量であり、判断手段は、流量の変化量が所定値以上であれば、測定部位の太さは標準よりも太いとを判断する。
【００１２】
好ましくは、制御手段は、初期設定の測定方式が加圧測定方式である場合であって、測定部位の太さが標準よりも細いと判断された場合には、血圧の測定方式を加圧測定方式から減圧測定方式に切替えて血圧の測定処理を継続するための第２の切替手段をさらに含む。
【００１３】
好ましくは、指標は、所定の圧力区間における加圧時間であり、判断手段は、加圧時間が所定値以下であれば、測定部位の太さは標準よりも細いと判断する。
【００１４】
あるいは、指標は、所定の期間における加圧速度であり、判断手段は、加圧速度が所定値以上であれば、測定部位の太さは標準よりも細いと判断する。
【００１５】
あるいは、指標は、所定の圧力区間における流量の変化量であり、判断手段は、流量の変化量が所定値以下であれば、測定部位の太さは標準よりも細いと判断する。
【００１６】
この発明の他の局面に従う血圧測定制御方法は、オシロメトリック法に従い血圧の測定を制御する方法であって、加圧初期の圧力情報に基づく指標を検出することにより、測定部位の太さを判断するステップと、初期設定の測定方式が減圧測定方式である場合であって、測定部位の太さが標準よりも太いと判断された場合に、血圧の測定方式を減圧測定方式から加圧測定方式に切替えて血圧の測定処理を継続するステップと、測定された血圧値を出力するステップとを備える。
【００１７】
この発明の他の局面に従う血圧測定制御方法は、オシロメトリック法に従い血圧の測定を制御する方法であって、加圧初期の圧力情報に基づく指標を検出することにより、測定部位の太さを判断するステップと、初期設定の測定方式が加圧測定方式である場合であって、測定部位の太さが標準よりも細いと判断された場合に、血圧の測定方式を加圧測定方式から減圧測定方式に切替えて血圧の測定処理を継続するステップと、測定された血圧値を出力するステップとを備える。
【発明の効果】
【００１８】
本発明によると、測定部位の太さに応じて柔軟に測定方式を切替えることができる。したがって、各測定方式が抱える、測定部位の太さの影響による問題点を解消することができる。
【発明を実施するための最良の形態】
【００１９】
本発明の実施の形態について図面を参照しながら詳細に説明する。なお、図中同一または相当部分には同一符号を付してその説明は繰返さない。
【００２０】
［実施の形態１］
＜外観および構成＞
はじめに、本発明の実施の形態１に係る電子血圧計（以下「血圧計」と略す）の外観および構成について説明する。
【００２１】
（外観について）
図１は、本発明の実施の形態１に係る血圧計１の外観斜視図である。血圧計１は、オシロメトリック法に従い血圧を測定する。
【００２２】
図１を参照して、血圧計１は、本体部１０と、被測定者の所定の測定部位（たとえば上腕）に巻き付け可能なカフ２０と、本体部１０およびカフ２０とを接続するエアチューブ３１とを備える。カフ２０は、太腕（および細腕）にも対応可能であると仮定する。
【００２３】
本体部１０の表面には、たとえば液晶等により構成される表示部４０と、ユーザ（代表的に被測定者）からの指示を受付けるための操作部４１とが配置されている。
【００２４】
操作部４１は、たとえば、電源をＯＮまたはＯＦＦするための指示の入力を受付ける電源スイッチ４１Ａと、測定開始の指示を受付けるための測定スイッチ４１Ｂと、各種の設定処理や記憶値読出しの指示を受付けるための設定スイッチ４１Ｃと、カーソルスイッチ４１Ｄとを有する。
【００２５】
なお、本実施の形態において、カフ２０は、太腕（および細腕）にも対応可能であることとしたが、別途、太腕用カフ２０Ａが設けられてもよい。つまり、図１に示したカフ２０が標準サイズであり、太腕用カフ２０Ａと取り替え可能であってもよい。
【００２６】
図１には、本体部１０に取りけ可能な太腕用カフユニットＵＮ１の外観も示されている。太腕用カフユニットＵＮ１は、カフ２０Ａと、カフ２０Ａに一端が接続されたエアチューブ３１Ａとを含む。カフ２０Ａは、エアチューブ３１Ａの他端に設けられたプラグ３１Ｂにより、本体部１０に取り付け可能である。
【００２７】
本体部１０には、さらに、図示しない細腕用カフユニットが取り付け可能であってもよい。
【００２８】
（構成について）
図２は、本発明の実施の形態１に係る血圧計１の構成を表わすブロック図である。
【００２９】
図２を参照して、血圧計１のカフ２０は、空気袋２１を含む。空気袋２１は、エアチューブ３１を介して、エア系３０に接続される。
【００３０】
本体部１０は、上述の表示部４０および操作部４１に加え、エア系３０と、各部を集中的に制御し、各種演算処理を行なうためのＣＰＵ（Central Processing Unit）１００と、ＣＰＵ１００に所定の動作をさせるプログラムや各種データを記憶するためのメモリ部４２と、測定された血圧を記憶するための不揮発性メモリ（たとえばフラッシュメモリ）４３と、ＣＰＵ１００に電力を供給するための電源４４と、計時動作を行なう計時部４５と、外部よりデータの入力を受付けるためのデータ入出力部４６とを含む。
【００３１】
エア系３０は、空気袋２１内の圧力（カフ圧）を検出するための圧力センサ３２と、カフ圧を加圧するために、空気袋２１に空気を供給するためのポンプ５１と、空気袋２１の空気を排出しまたは封入するために開閉される弁５２とを含む。
【００３２】
本体部１０は、上記エア系３０に関連して、発振回路３３と、ポンプ駆動回路５３と、弁駆動回路５４とをさらに含む。
【００３３】
圧力センサ３２は、静電容量形の圧力センサであり、カフ圧により容量値が変化する。発振回路３３は、圧力センサ３２の容量値に応じた発振周波数の信号をＣＰＵ１００に出力する。ＣＰＵ１００は、発振回路３３から得られる信号を圧力に変換し圧力を検知する。ポンプ駆動回路５３は、ポンプ５１の駆動をＣＰＵ１００から与えられる制御信号に基づいて制御する。弁駆動回路５４は弁５２の開閉制御をＣＰＵ１００から与えられる制御信号に基づいて行なう。
【００３４】
ポンプ５１、弁５２、ポンプ駆動回路５３および弁駆動回路５４は、カフ圧を調整するための調整機構５０を構成する。なお、カフ圧を調整するためのデバイスは、これらに限定されるものではない。
【００３５】
データ入出力部４６は、たとえば、着脱可能な記録媒体１３２からプログラムやデータの読み出しおよび書き込みをする。また／あるいは、データ入出力部４６は、外部の図示しないコンピュータから通信回線を介してプログラムやデータの送受信ができてもよい。
【００３６】
なお、カフ２０には空気袋２１が含まれることとしたが、カフ２０に供給される流体は空気に限定されるものではなく、たとえば液体やゲルであってもよい。あるいは、流体に限定されるものではなく、マイクロビーズなどの均一な微粒子であってもよい。
【００３７】
図２には、ＣＰＵ１００が達成する機能の構成も示されている。図２を参照して、ＣＰＵ１００は、その機能として、判断部１０２と、方式切替部１０４とを有する。なお、本実施の形態における血圧計１は、初期設定（デフォルト）の測定方式が減圧測定方式であるものとする。
【００３８】
ここで、減圧測定方式による血圧測定について簡単に説明すると、減圧測定方式とは、減圧過程で血圧の測定処理を行なうことである。たとえば、所定値（たとえば１７０mmHg）まで高速に加圧し、所定値に達すると、加圧を停止して減圧制御に移行する。そして、徐速での減圧過程において、発振回路３３からの出力信号に基づいて、カフ圧に重畳した脈波振幅に所定のアルゴリズムを適用することにより、最高血圧および最低血圧を測定（算出）する。加圧時の速度は、少なくとも減圧時の速度よりも速い。減圧測定方式は、歴史的背景等より上腕式の血圧計で多く採用されている。
【００３９】
また、加圧測定方式による血圧測定について簡単に説明すると、加圧測定方式とは、加圧過程で血圧の測定処理を行なうことである。たとえば、徐速での加圧過程において、発振回路３３からの出力信号に基づいて、カフ圧に重畳した脈波振幅に所定のアルゴリズムを適用することにより、最高血圧および最低血圧を測定（算出）する。そして、最高血圧および最低血圧が算出されると、加圧を停止して急速排気する。加圧測定方式は、ポンプの流量の制限（コンポーネントを小さくすることが望まれている）などにより手首式の血圧計で多く採用されている。
【００４０】
判断部１０２は、加圧初期の圧力情報に基づく指標を検出することにより、測定部位すなわち腕の太さを判断する。この指標は、たとえば、加圧初期の所定の圧力区間（以下「初期圧力区間」という）の加圧に要した時間（以下「初期加圧時間」という）である。判断部１０２は、初期加圧時間が所定値以上であれば、腕の太さは標準よりも太いと判断する。
【００４１】
腕の太さが標準以下であると判断された場合、測定方式が切替わることなく減圧測定方式による血圧の測定処理が継続される。
【００４２】
方式切替部１０４は、判断された腕の太さが標準よりも太いと判断された場合に、血圧の測定方式を減圧測定方式から加圧測定方式に切替えて血圧の測定処理を継続する。
【００４３】
ここで、減圧測定方式の場合の、腕の太さすなわち腕周の違いによる測定時間の影響について説明する。本実施の形態において、カフ圧が所定値（たとえば２００ｍｍＨｇ）に達した場合に、減圧制御に移行するものとする。なお、限定的ではなく、加圧仮定で最高血圧を推定し、推定された最高血圧＋所定値（たとえば４０ｍｍＨｇ）となった時点で減圧制御に移行してもよい。
【００４４】
図３は、腕周の違いによる測定時間の影響を示す図である。図３（Ａ）には、被測定者の腕が標準よりも細い場合の制御圧力値が時間軸に沿って示されている。図３（Ｂ）には、被測定者の腕が標準サイズの場合の制御圧力値が時間軸に沿って示されている。図３（Ｃ）には、被測定者の腕が標準よりも太い場合の制御圧力値が時間軸に沿って示されている。
【００４５】
カフ圧を所定値ＰＣまで加圧するのに要する時間を、細腕、標準サイズの腕、太腕の順に、“ｔａ１”、“ｔｂ１”、“ｔｃ１”と表わす。減圧測定方式の場合、所定値ＰＣまで一気に加圧し、その後、徐々に等速で減圧することになる。したがって、加圧に要する時間は腕の太さによって異なる。つまり、腕が太くなるにつれて、加圧時間が長くなり、図３に表わされているように、ｔａ１＜ｔｂ１＜ｔｃ１という関係になる。その結果、全体の測定時間も、細腕、標準サイズの腕、太腕の順に、“ｔａ２”、“ｔｂ２”、“ｔｃ２”と表わすと、ｔａ２＜ｔｂ２＜ｔｃ２という関係になる。
【００４６】
これに対し、加圧測定方式では、等速で徐々に加圧する。そして、たとえば加圧過程で最高血圧および最低血圧を算出し、両者が算出されると、急速排気する。そのため、減圧に要する時間は腕の太さが違ったとしても殆ど同じである。
【００４７】
上述のように、腕周が大きいと、減圧測定方式とした場合でも加圧速度が標準サイズよりも遅くなる。したがって、腕周が大きい被測定者に対しては、減圧測定方式よりも、腕の太さの影響を受けない加圧測定方式で測定した方が、測定時間を短くすることができる。したがって、本実施の形態では、腕が太いと判断されると、減圧測定方式から加圧測定方式に切替えることで、全体の測定時間を短縮する。
【００４８】
＜動作について＞
次に、本実施の形態における血圧計１の動作について説明する。
【００４９】
図４は、本発明の実施の形態１における血圧測定処理の流れを示すフローチャートである。図４のフローチャートに示す処理は、予めプログラムとしてメモリ部４２に格納されており、ＣＰＵ１００がこのプログラムを読み出して実行することにより、血圧測定処理の機能が実現される。
【００５０】
図４を参照して、ユーザにより電源スイッチ４１Ａが押下されると、ＣＰＵ１００は、初期加圧、すなわち、ポンプ駆動回路５３に指令信号を送信することにより、初期圧力区間における加圧処理を実行する（ステップＳ１０２）。初期圧力区間は、０ｍｍＨｇから、想定される最も低い最低血圧値よりも低い値たとえば３０ｍｍＨｇまでの間である。この初期の加圧処理では、ポンプ５１の駆動電圧は一定に制御される。あるいは、ポンプ５１の流量が一定に制御される。
【００５１】
次に、判断部１０２は、初期加圧時間、すなわち、初期圧力区間の加圧に要した時間を計測する（ステップＳ１０４）。
【００５２】
図５は、腕周の違いによる初期加圧時間の違いを示す図であり、実施の形態１における測定方式の切替え方法が示されている。図５（Ａ）には、被測定者の腕が標準よりも細い場合（細腕用カフを取り付けた場合も同様）の初期加圧時間ＴＡが示されている。図５（Ｂ）には、被測定者の腕が標準サイズの場合の初期加圧時間ＴＢが示されている。図５（Ｃ）には、被測定者の腕が太い場合（太腕用カフ２０Ａを取り付けた場合も同様）の初期加圧時間ＴＣが示されている。初期圧力区間を３０ｍｍＨｇとすると、初期加圧時間ＴＡは、たとえば、３秒以下である。初期加圧時間ＴＢは、たとえば、３〜８秒である。初期加圧時間ＴＣは、たとえば、８秒以上である。
【００５３】
判断部１０２は、続いて、初期加圧時間が所定時間（たとえば８秒）未満か否かを判断する（ステップＳ１０６）。これにより、腕の太さが太いか否かが判断される。
【００５４】
ステップＳ１０６にて判断部１０２により条件を満たしている、すなわち、腕の太さは細いか標準と判断された場合（ステップＳ１０６においてＹＥＳ）、ＣＰＵ１００は、減圧測定方式による測定を継続する（ステップＳ１０８）。つまり、腕の太さが標準以下と判断されると、測定方式は、減圧測定方式に維持される。
【００５５】
一方、判断部１０２により条件を満たしていない、すなわち、腕の太さが太いと判断された場合（ステップＳ１０６においてＮＯ）、方式切替部１０４は、測定方式を、減圧測定方式から加圧測定方式に切替えて血圧の測定処理を継続する（ステップＳ１１０）。方式切替部１０４は、たとえば、加圧過程におけるフィルタ処理の挿入や、制御パラメータの変更を行なう。減圧測定方式の場合、加圧過程では発振回路３３からの信号に対するフィルタ処理（ポンプ５１の駆動による振動のノイズ除去）は必要ではないが、加圧測定方式の場合には必要である。また、減圧測定方式の場合は高速で加圧するのに対し、加圧測定方式の場合は徐速で加圧する必要があるため、速度（単位時間当りの圧力変化量）に関する制御パラメータが変更される。
【００５６】
ステップＳ１０８またはＳ１１０の処理により血圧値（最高血圧および最低血圧）が算出されると、算出された血圧値は出力される。具体的には、たとえば、算出された血圧値が測定結果として表示部４０に表示される（ステップＳ１１２）。図６は、図４のステップＳ１１２において表示される画面の一例を示す図である。
【００５７】
図６を参照して、表示部４０の領域４０１には、測定日時が表示される。測定日時は、たとえば、測定スイッチ４１Ｂが押下された時点に対応している。表示部４０の領域４０２には、図４のステップＳ１０８またはＳ１１０で算出された最高血圧が表示される。表示部４０の領域４０３には、図４のステップＳ１０８またはＳ１１０で算出された最低血圧が表示される。また、表示部４０の領域４０４には、公知の手法で算出された脈拍数が表示される。
【００５８】
以上で、血圧測定処理は終了される。
このように、本実施の形態によると、初期加圧時間に基づいて被測定者の腕が太いか否かを判断する。そして、図５にも示されるように、腕が太いと判断された場合にのみ、減圧測定方式から加圧測定方式に変更される。したがって、腕の太い被測定者の測定時間が長くなることを防止することができ、その結果、長時間の圧迫による苦痛を軽減させることができる。これにより、被測定者は快適に血圧を測定することができる。したがって、減圧測定方式のみ搭載した血圧計の問題点を解消することができる。
【００５９】
また、本実施の形態では、ユーザが腕周に関する情報を入力しなくても初期加圧時間で自動的に腕の太さを判断するため、ユーザの手間を必要としないで、被測定者の腕の太さに応じて柔軟に測定方式を切替えることができる。
【００６０】
［実施の形態２］
上記実施の形態では、初期設定の測定方式が減圧測定方式であることを前提に測定方式の切替え方法を説明した。実施の形態２では、初期設定の測定方式が加圧測定方式である場合の測定方式の切替え方法を説明する。
【００６１】
測定部位が細い被測定者に対して加圧測定方式を採用すると、ポンプの流量制限により、等速でゆっくりと加圧することが難しいといわれている。したがって、本実施の形態では、測定部位が細い被測定者に対しては、加圧測定方式から減圧測定方式に切替えることで、測定精度を高度に保つ。
【００６２】
本実施の形態における血圧計の構成および基本的な動作は、上記実施の形態１と同様である。したがって、ここでも実施の形態１で用いた符号を用いて説明する。
【００６３】
以下に、実施の形態１と異なる部分のみ説明する。
図７は、本発明の実施の形態２における血圧測定処理の流れを示すフローチャートである。なお、図４のフローチャートと同様の処理については同じステップ番号を付してある。したがって、それらについての説明は繰返さない。
【００６４】
図７を参照して、図４のステップＳ１０６、Ｓ１０８およびＳ１１０の処理に代えて、それぞれ、ステップＳ２０６、Ｓ２０８およびＳ２１０の処理が実行される。
【００６５】
ステップＳ２０６において、判断部１０２は、初期加圧時間が所定時間（たとえば３秒）以下か否かを判断する。これにより、腕の太さが細いか否かが判断される。
【００６６】
ステップＳ２０６にて判断部１０２により条件を満たしている、すなわち、腕の太さは細いと判断された場合（ステップＳ２０６においてＹＥＳ）、ステップＳ２０８に進む。一方、判断部１０２により条件を満たしていない、すなわち、腕の太さが標準以上と判断された場合（ステップＳ２０６においてＮＯ）、ステップＳ２１０に進む。
【００６７】
ステップＳ２０８では、上述のステップＳ１１２とは逆に、方式切替部１０４は、測定方式を、加圧測定方式から減圧測定方式に切替えて血圧の測定処理を継続する。方式切替部１０４は、たとえば、加圧過程におけるフィルタ処理の削除や、制御パラメータの変更を行なう。なお、減圧測定方式において、従来より行なわれているように、加圧過程で最高血圧を推定してもよく、その場合には、フィルタ処理は挿入されたままでよい。上記実施の形態でも同様である。
【００６８】
ステップＳ２１０では、ＣＰＵ１００は、加圧測定方式による測定を継続する。つまり、腕の太さが標準か太いと判断されると、測定方式は、加圧測定方式に維持される。
【００６９】
図８は、図５と同様に、腕周の違いによる初期加圧時間の違いを示す図であり、実施の形態２における測定方式の切替え方法が示されている。
【００７０】
本実施の形態によると、初期加圧時間に基づいて被測定者の腕が細いか否かを判断する。そして、図８にも示されるように、腕が細いと判断された場合にのみ、加圧測定方式から減圧測定方式に変更される。これにより、測定精度の低下を防止することができ、加圧測定方式のみ搭載した血圧計の問題点を解消することができる。
【００７１】
なお、以上の実施の形態１，２では、腕の太さを判断するための、加圧初期の圧力情報に基づく指標として、初期加圧時間を用いたが、限定的ではない。たとえば、加圧初期の速度（増加圧力値／初期の所定期間）を用いてもよい。その場合、加圧速度が第１の所定値（たとえば７mmHg/sec）以下であれば、測定部位の太さは標準よりも太いと判断し、加圧速度が第２の所定値（たとえば２０mmHg/sec）以上であれば、測定部位の太さは標準よりも細いと判断することができる。
【００７２】
または、加圧初期の圧力情報に基づく指標として、加圧初期の圧力と流量との関係を用いてもよい。図９に示すように、初期圧力区間（所定の圧力区間）における流量の変化量が腕の太さによって異なる。したがって、たとえば、図９に示すような関係に基づいて、流量の変化量が第１の所定値（たとえば１００ml/min）以上であれば太腕と判断し、流量の変化量が第２の所定値（たとえば５０ml/min）以下であれば細腕と判断してもよい。なお、ポンプ５１の流量の測定の仕方は特に限定されない。たとえば、ポンプ駆動回路５３の駆動電圧と流量との関係を表わすデータテーブルを予めメモリ部４２に記憶しておき、そのデータテーブルを参照して電圧値を流量に置換えることで、流量を取得してもよい。あるいは、流量を測定するためのセンサ（図示せず）により流量が測定されてもよい。
【００７３】
また、本発明の電子血圧計が行なう、血圧測定制御方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７５】
【図１】本発明の実施の形態１に係る血圧計１の外観斜視図である。
【図２】本発明の実施の形態１に係る血圧計１の構成を表わすブロック図である。
【図３】減圧測定方式の場合の、腕周の違いによる測定時間の影響を示す図である。
【図４】本発明の実施の形態１における血圧測定処理の流れを示すフローチャートである。
【図５】本発明の実施の形態１における測定方式の切替え方法および腕周の違いによる初期加圧時間の違いを示す図である。
【図６】図４のステップＳ１１２において表示される画面の一例を示す図である。
【図７】本発明の実施の形態２における血圧測定処理の流れを示すフローチャートである。
【図８】本発明の実施の形態２における測定方式の切替え方法および腕周の違いによる初期加圧時間の違いを示す図である。
【図９】腕周の違いによる初期圧力区間（所定の圧力区間）における流量の変化量の影響を示す図である。
【符号の説明】
【００７６】
１  電子血圧計、１０  本体部、２０  カフ、２０Ａ  太腕用カフ、２１  空気袋、３０  エア系、３１，３１Ａ  エアチューブ、３１Ｂ  プラグ、３２  圧力センサ、３３  発振回路、４０  表示部、４１  操作部、４１Ａ  電源スイッチ、４１Ｂ  測定スイッチ、４１Ｃ  設定スイッチ、４１Ｄ  カーソルスイッチ、４２  メモリ部、４４  電源、４５  計時部、４６  データ入出力部、５０  調整機構、５１  ポンプ、５２  弁、５３  ポンプ駆動回路、５４  弁駆動回路、１００  ＣＰＵ、１０２  判断部、１０４  方式切替部、１３２  記録媒体、４０１  領域、ＵＮ１  太腕用カフユニット。
【図１】
2010068922.tif 000003
【図２】
2010068922.tif 000004
【図３】
2010068922.tif 000005
【図４】
2010068922.tif 000006
【図５】
2010068922.tif 000007
【図６】
2010068922.tif 000008
【図７】
2010068922.tif 000009
【図８】
2010068922.tif 000010
【図９】
2010068922.tif 000011